(57)【要約】【課題】画像データと音声データなどの２つのデータの関連づけが容易であるデータ転送装置を提供することを目的とする。【解決手段】本撮影機能付き音声記録装置は、主に装置全体の制御を司るＣＰＵ１と、マイクロフォン４およびその入力回路と、スピーカ８及びその出力回路と、撮影処理部３と、表示用ＬＣＤ１３と、ＰＣ接続端子１４と、記録媒体１５と、操作スイッチ群１２とを有してなり、記録媒体１５に記録された音声および／または画像データをＰＣ等の外部機器に転送する際、転送データが画像データであった場合にはその転送中にＲＥＣスイッチ１２ａを操作をして画像データに関連する音声データをＣＰＵ１のメモリ部１ａに記録する。上記画像データ転送後にメモリ部１ａに記録された音声データを上記画像データに関連付けした状態で自動的に転送することができる。【選択図】    図１
2005012369.tif 000002
【特許請求の範囲】
【請求項１】
記憶部に記憶されている第１データを外部装置に転送する転送手段と、
上記第１データを上記記憶部から上記外部装置に転送する際に第２データを記録する記録手段と、
上記第２データを上記外部装置に転送するように上記転送手段を制御する制御手段と、
を具備することを特徴とするデータ転送装置。
【請求項２】
上記第１データと上記第２データとから関連付け情報を生成する関連付け情報生成手段を具備し、上記制御手段は、さらに上記関連付け情報を上記外部装置に転送するように上記転送手段を制御することを特徴とする請求項１に記載のデータ転送装置。
【請求項３】
上記第１データは、画像データであり、上記第２データは、音声データであることを特徴とする請求項１に記載のデータ転送装置。
【請求項４】
上記第１データを上記外部装置に転送する際、上記第２データを記録するか否かを選択する選択手段を具備し、上記選択手段により上記第２データを記録するという選択がされた場合のみ上記記録手段によって上記第２のデータの記録を行うとともに、上記制御手段によって上記第２データを上記外部装置に転送することを特徴とする請求項１に記載のデータ転送装置。
【請求項５】
上記選択手段は、第１データの転送開始後、または第１のデータの転送終了後の所定時間内に上記第２データを記録するか否かを操作者に選択させるとともに、上記所定時間が経過した場合には上記第２データの記録は行わないという選択をすることを特徴とする請求項４に記載のデータ転送装置。
【請求項６】
上記第１データの転送開始後、または、転送終了後の所定時間内に所定の操作が行なわれた場合のみ、上記記録手段は、上記第２データの記録を行うと共に、上記制御手段は、上記第２データを上記外部装置に転送するように上記転送手段を制御することを特徴とする請求項１に記載のデータ転送装置。
【請求項７】
さらに、上記第１データが画像データであるか否かを判定する判定手段と、
上記判定手段により、上記第１データが画像データであると判定された場合には、上記第１データの画像を表示する表示手段と、
具備することを特徴とする請求項１に記載のデータ転送装置。
【発明の詳細な説明】
【０００１】
【発明の属する技術分野】
本発明は、各種データを外部装置に転送するデータ転送装置に関する。
【０００２】
【従来の技術】
従来より１つの装置で画像と音声とを記録をする方法が提案されており、このような記録装置においては、撮影した画像データとコメントとして録音した音声データとの関連付けが行えるようになっている。例えば、特許文献１に記載されるように画像データと音声データの関連づけが容易に行えるような音声記録カメラが提案されている。
【０００３】
また、従来のデジタルカメラやデジタルレコーダのようなデジタルデータ記録装置においては、装置内の記録媒体に記録されたデータを有線データ通信、もしくは、無線データ通信によって、ＰＣ等の外部装置へ転送するが一般的に行われている。また、画像データと音声データの関連づけを撮影時以外でも可能とするために、外部装置にデータを転送した後に外部装置を操作することでデータの関連づけを行うことができるデータ記録装置も提案されている。
【０００４】
【特許文献１】
特許文献１は、特開平８−１６０５５３号公報である。
【０００５】
【発明が解決しようとする課題】
しかしながら、上述した従来のデジタルカメラ等のデータ記録装置において、画像データと音声データを別々に記録し、外部装置にデータを転送した後にデータの関連づけを行うことは、画像データと音声データを確認してから関連づけを行うといった操作をしなければならず、操作が煩わしいといった問題があった。
【０００６】
本発明は、上記事情に鑑みてなされたものであり、例えば、画像データと音声データなどの２つのデータの関連づけが容易なデータ転送装置を提供することを目的とする。
【０００７】
【課題を解決するための手段】
本発明の請求項１記載のデータ転送装置は、記憶部に記憶されている第１データを外部装置に転送する転送手段と、上記第１データを上記記憶部から上記外部装置に転送する際に第２データを記録する記録手段と、上記第２データを上記外部装置に転送するように上記転送手段を制御する制御手段とを具備しており、第１データを転送する際、第２データが記録手段に記録され、その後、第２データが外部装置に転送される。
【０００８】
本発明の請求項２記載のデータ転送装置は、請求項１に記載のデータ転送装置において、上記第１データと上記第２データとから関連付け情報を生成する関連付け情報生成手段を具備し、上記制御手段は、さらに上記関連付け情報を上記外部装置に転送するように上記転送手段を制御する。
【０００９】
本発明の請求項３記載のデータ転送装置は、請求項１に記載のデータ転送装置において、上記第１データは、画像データであり、上記第２データは、音声データである。
【００１０】
本発明の請求項４記載のデータ転送装置は、請求項１に記載のデータ転送装置において、上記第１データを上記外部装置に転送する際、上記第２データを記録するか否かを選択する選択手段を具備し、上記選択手段により上記第２データを記録するという選択がされた場合のみ上記記録手段によって上記第２のデータの記録を行うとともに、上記制御手段によって上記第２データを上記外部装置に転送する。
【００１１】
本発明の請求項５記載のデータ転送装置は、請求項４に記載のデータ転送装置において、上記選択手段は、第１データの転送開始後、または第１のデータの転送終了後の所定時間内に上記第２データを記録するか否かを操作者に選択させるとともに、上記所定時間が経過した場合には上記第２データの記録は行わないという選択をする。
【００１２】
本発明の請求項６記載のデータ転送装置は、請求項１に記載のデータ転送装置において、上記第１データの転送開始後、または、転送終了後の所定時間内に所定の操作が行なわれた場合のみ、上記記録手段は、上記第２データの記録を行うと共に、上記制御手段は、上記第２データを上記外部装置に転送するように上記転送手段を制御する。
【００１３】
本発明の請求項７記載のデータ転送装置は、請求項１に記載のデータ転送装置において、さらに、上記第１データが画像データであるか否かを判定する判定手段と、上記判定手段により、上記第１データが画像データであると判定された場合には、上記第１データの画像を表示する表示手段と具備する。
【００１４】
【発明の実施の形態】
以下、本発明の実施の形態を図に基づいて説明する。
図１は、本発明の第１の実施形態に係る撮影機能付き音声記録装置の構成を示すブロック図である。
【００１５】
この撮影機能付き音声記録装置は、撮影機能を有するＩＣレコーダ等の音声記録装置であり、図１に示すように音声をアナログの電気信号に変換するマイクロホン４と、このマイクロホン４により得られるアナログの音声信号を増幅する増幅器（ＡＭＰ）５と、この増幅器５の出力の内の不要な高周波成分を除去する低域通過フィルタ（ＬＰＦ）６と、この低域通過フィルタ６の出力をデジタル信号に変換するアナログ／デジタル変換器（Ａ／Ｄ）７と、このアナログ／デジタル変換器７によりデジタル化された音声信号を録音動作時に圧縮するとともに再生動作時に伸長する動作を含む当該音声記録再生装置に係る各種の制御を行う制御手段たる主制御回路からなるＣＰＵ１と、上記デジタル信号処理部により圧縮された音声データおよび／または画像データが上記ＣＰＵ１の制御の下に所定のフォーマットによって記憶される記憶部としての記録媒体１５と、上記ＣＰＵ１から出力されるデジタルの音声信号をアナログ信号に変換するデジタル／アナログ変換器（Ｄ／Ａ）１１と、このデジタル／アナログ変換器１１の出力から不要な量子化雑音等を除去する低域通過フィルタ（ＬＰＦ）１０と、この低域通過フィルタ１０の出力を増幅する増幅器（ＡＭＰ）９と、この増幅器９により増幅されたアナログ信号による音声を出力するスピーカ８と、上記ＣＰＵ１の指示により駆動され、例えば、動作モードや現在日時などの各種情報を表示する表示手段であるＬＣＤ１３と、撮像光学系やＣＣＤ等からなる撮像部２を内蔵し、上記ＣＰＵ１の制御に基づき、特に静止画像の撮影画像処理を行う撮影処理部３と、上記ＣＰＵ１の制御に基づき、外部装置（例えば、ＰＣ等）と通信を行うためのデータ転送手段たる通信ポート１ｂと、通信ポート１ｂに接続され、外部装置であるＰＣ（パーソナルコンピュータ）との接続用のＰＣ接続端子１４と、録音開始を指示する選択手段である録音スイッチ（ＲＥＣスイッチ）１２ａ，再生開始を指示するの再生スイッチ（ＰＬＡＹスイッチ）１２ｂ，録音，再生処理を停止させるための停止スイッチ（ＳＴＯＰスイッチ）１２ｃ，録音位置や再生位置を旱送りするための早送りスイッチ（ＦＦスイッチ）１２ｄ，録音位置や再生位置を早戻しするための早戻しスイッチ（ＲＥＷスイッチ）１２ｅ，静止画の撮影を指示するレリーズスイッチ（ＲＥＬスイッチ）１２ｆからなる操作スイッチ群１２と、を有して構成されている。
【００１６】
上記撮影処理部３は、上記ＣＰＵ１の制御により撮像部２を介して取り込まれれた第１のデータである画像データを圧縮処理し、ＣＰＵ１に出力する。
【００１７】
上記ＣＰＵ１は、上述した圧縮処理した音声データと上記取り込まれた画像データとを記録媒体１５に書き込む記録処理を行う。また、このＣＰＵ１は、記録媒体１５に記録された上記音声データや画像データを外部装置に転送するデータ転送手段を内蔵し、さらに、マイクロフォン４を介して取り込まれ、上記画像データに関連し、例えば、該画像データの参照用となる第２のデータとしての音声データである画像関連の音声データ（以下、画像関連音声データと記載）を一時的に記録する記録手段であるメモリ部１ａを内蔵している。さらに、データ転送処理時の転送データが画像データであるかどうかを判定する判定手段（後述するステップＳ３１，３５Ａの判定処理）を内蔵している。その判定手段により画像データであると判定された場合、上記表示手段であるＬＣＤ１３に該画像データが表示される。また、このＣＰＵ１は、上記画像データと上記画像関連音声データとから両者を関連付けするための関連付け情報を生成する関連付け情報生成手段を内蔵している。この関連付け情報は、画像関連音声データとともに外部装置に転送される。
【００１８】
上記記録媒体１５は、装置内蔵の記録媒体でもよく、または、着脱自在の記録媒体であってもよい。
【００１９】
上述の構成を有する本実施形態の音声記録装置におけるデータ転送処理の詳細について、図２，３のフローチャートを用いて説明する。
ＰＣ接続端子１４にケーブルを介してＰＣ等の外部装置が接続され、外部装置からデータ転送許可を受けると、ＣＰＵ１側にて転送するデータが選択されると、上記音声記録装置におけるメインルーチンにて図２，３に示すサブルーチンとしてのデータ転送処理が呼び出され、ＣＰＵ１の制御のもとでステップＳ１からステップＳ２４までの処理が実行される。
【００２０】
まず、ステップＳ１にて、選択されたデータが画像データてあるかどうかの確認を行う。画像データてあると判定されれば、ステップＳ２に進み、ＬＣＤ１３にデータに画像データを表示する。ステップＳ３，Ｓ４にて外部装置に対して通信ポート１ｂを介してデータ転送を開始する。上記ステップＳ１において画像データでないと判定されれば、直接、上記ステップＳ３にジャンプする。なお、上記選択されるデータとは、記録媒体１５に記録されているデータである。
【００２１】
続いて、ステップＳ５にてデータ転送が終了したかどうかの判定を行う。終了していなければ、ステップＳ６に進む。終了していれば、ステップＳ１６（図３）に進む。
【００２２】
ステップＳ６では、上記画像関連音声データである音声データの記録中であるかどうかの判定を行う。音声記録中であれば、ステップＳ７に進み、そのまま画像関連音声データの記録を続行する。音声記録中でなければ、ステップＳ８にジャンプする。この画像関連音声データの記録処理は、後述するステップＳ１３で記録開始される処理である。なお、図２，３に記載されている音声、または、音声データは、上記画像関連の音声、または、画像関連音声データを示している。
【００２３】
ステップＳ８で画像データ転送中であるかどうかの判定を行い、画像データ転送中であれば、ステップＳ９に進む。画像データ転送中でなければ、ステップＳ４に戻り、データ転送を続行する。
【００２４】
ステップＳ９では、操作スイッチ群１２の操作状態を検出し、いずれのスイッチが操作されていなければ、ステップＳ４に戻り、データ転送を続行する。いずれかのスイッチが操作されていれば、ステップＳ１０に進み、音声データ（画像関連音声データ）を記録中であるかどうかを判定する。記録中であれば、ステップＳ１１にジャンプして画像関連音声データの記録を続行し、ステップＳ１４に進む。記録中でなければ、ステップＳ１２に進む。
【００２５】
ステップＳ１２では、ＲＥＣスイッチ１２ａがオン操作されたかを判別し、オン操作されていなければ、ステップＳ１４に進むが、オン操作されていれば、ステップＳ１３にジャンプし、画像関連音声データの記録を開始する。この画像関連音声データは、前述したように転送中の画像データに関連した音声データであって、上記記録開始によりデータ転送中にマイクロフォン４を介して取り込まれ、ＣＰＵ１のメモリ部１ａに記録されていく。上記画像関連音声データの記録を開始後、ステップＳ４に戻り、データ転送を続行する。
【００２６】
ステップＳ１４では、ＳＴＯＰスイッチ１２ｃがオン操作されたかを判別し、オン操作されていれば、ステップＳ１５に進み、画像関連音声データの記録を停止して、ステップＳ４に戻る。オン操作されていなければ、そのままステップＳ４に戻り、データ転送を続行する。
【００２７】
前記ステップＳ５でデータ転送が終了したと判定され、図３のステップＳ１６にジャンプした場合、メモリ部１ａへの音声データ（画像関連音声データ）の記録の有無の判別を行い、画像関連音声データの記録なしならば、そのまま、本ルーチンを終了し、メインルーチンに戻る。しかし、画像関連音声データが記録されている場合、ステップＳ１７に進み、現在、画像関連音声データを記録中であるかどうかの判別を行う。記録中であれば、ステップＳ１８に進む。記録中でなければ、後述するステップＳ２２にジャンプする。
【００２８】
ステップＳ１８では、操作スイッチ群１２の操作状態をチェックし、いずれかのスイッチが操作されていれば、ステップＳ１９に進み、いずれのスイッチも操作されていなければ、ステップＳ２０にジャンプする。
【００２９】
ステップＳ１９では、ＳＴＯＰスイッチ１２ｃがオン操作されたかどうかを判別し、オン操作された場合、ステップＳ２１に進み、オン操作されていなければ、ステップＳ２０にジャンプする。
【００３０】
ステップＳ２０にジャンプした場合、画像関連音声データのメモリ部１ａへの記録を続行し、ステップＳ１８に戻る。この画像関連音声データの記録は、ＳＴＯＰスイッチ１２ｃがオン操作されるまで続行される。
【００３１】
ステップＳ２１に進んだ場合、画像関連音声データの記録を停止し、ステップＳ２２に進む。ステップＳ２２では、上述の記録処理でメモリ部１ａに記録された画像関連音声データを通信ポート１ｂを介して外部装置への転送する処理を開始する。
【００３２】
この画像関連音声データ転送の際、転送済みの画像データと該画像関連音声データとを関連付ける関連付けデータがＣＰＵ１の関連付け情報生成手段で生成され、上記画像関連音声データとともに外部装置に転送される。
【００３３】
ステップＳ２３，２４にてデータ転送終了が検出されるまで画像関連音声データの転送が行われる。画像関連音声データの転送終了が検出されれば、本ルーチンを終了し、本装置のメインルーチンに制御が戻る。
【００３４】
なお、外部機器に転送された画像関連音声データは、外部機器において関連する画像データの表示やさらなる転送や印刷等の処理がなされる際に必要に応じて再生可能である。
【００３５】
本実施形態の音声記録装置の画像転送処理においては、音声データ等をＰＣ等の外部機器に対して転送を開始した後、上記データ中に画像データが存在することが検出された場合、その画像データの転送中にその画像に関連する画像関連音声データをスイッチ操作に応じてメモリ部１ａに記録し、上記画像データ転送後に上記画像関連音声データを関連付けした状態で自動的に転送することができる。そして、上記画像関連音声データの記録を画像撮影後のデータ転送時に音声記録装置側で簡単に行うことができる。
【００３６】
なお、本実施形態の音声記録装置のデータ転送処理では、画像データを含むデータの転送所要時間が短かった場合、上記画像関連音声データを記録するためにデータ転送期間中にＲＥＣスイッチ１２ａをオン操作することが困難であることが考えられる。そこで、上記データ転送処理に対してデータ転送時間が短かかったとしても画像関連音声データの記録を行い易い変形例として、データ転送時間を計時するカウンタを設け、もし該データ転送時間が所定の時間より短かった場合にのみ、データ転送後、ある時間内であればＲＥＣスイッチ１２ａのオン操作によって画像関連音声データの記録および転送を許容するデータ転送処理を提案できる。
【００３７】
次に、本発明の第２の実施形態の撮影機能付き音声記録装置について、図４のフローチャートを用いて説明する。
本実施形態の撮影機能付き音声記録装置（以下、音声記録装置と記載する）は、前記図１に示した第１の実施形態の音声記録装置の構成と略同様の構成を有しているが、第１の実施形態に対してサブルーチンのデータ転送処理の一部が異なるものである。従って、同様の構成要素に対しては、第１の実施形態における符号と同一の符号を付し、以下、異なる部分の処理について説明する。
【００３８】
本実施形態の音声記録装置のデータ転送処理は、図４に示すように第１の実施形態の場合と同様にＣＰＵ１の制御のもとで実行されるが、ステップＳ３１〜Ｓ３３の処理は、図２に示す第１の実施形態におけるステップＳ１〜Ｓ３と同様である。
【００３９】
続いて、ステップＳ３４，３５においてデータ転送が終了するまで外部機器に対するデータ転送が実行される。
【００４０】
データ転送が終了した後、ステップＳ３５Ａに進み、転送データが画像データであったかどうかを判別し、画像データであった場合にステップＳ３６に進む。しかし、画像データではなかった場合は、本ルーチンを終了し、メインルーチンに処理が戻される。
【００４１】
ステップＳ３６に進んだ場合、タイマ計時を開始する。ステップＳ３７にてタイマ計時が所定の設定時間を経過したかどうかを判別し、上記設定時間を経過した場合、本ルーチンを終了する。上記設定時間を経過しない状態では、、ステップＳ３８に進み、操作スイッチ群１２の操作状態を検出する。いずれかのスイッチが操作されたことが検出されれば、ステップＳ３９に進むが、いずれのスイッチも操作されなかった場合は、ステップＳ３７に戻り、上記設定時間の経過をチェックする。
【００４２】
ステップ３９ではＲＥＣスイッチ１２ａの状態を検出し、オン操作されていれば、ステップＳ４０に進むが、オン操作されていない場合、すなわち、ＲＥＣスイッチ１２ａ以外の操作スイッチが操作された場合は、本ルーチンを終了し、メインルーチンに戻る。
【００４３】
ステップＳ４０では音声データ（画像関連音声データ）の記録が開始され、ステップＳ４１で上記画像関連音声データの記録が続行る。この画像関連音声データは、前記第１の実施形態の場合と同様に上記転送済みの画像データに関連した音声データであって、マイクロフォン４を介して取り込まれ、ＣＰＵ１のメモリ部１ａに記録されていく。なお、図４に記載されている音声データは、上記画像関連音声データを示している。
【００４４】
ステップＳ４２では、操作スイッチ群１２の操作状態を検出する。いずれのスイッチの操作も検出されなければ、ステップＳ４１に戻るが、いずれかのスイッチの操作が検出されれば、ステップＳ４３に進む。
【００４５】
ステップＳ４３では、画像関連音声データの記録を停止し、ステップＳ４４に進む。ステップＳ４４では、上述の記録処理でメモリ部１ａに記録された画像関連音声データを通信ポート１ｂを介して外部機器への転送する処理を開始する。さらに、ステップＳ４５，４６にてデータ転送終了が検出されるまで画像関連音声データの転送が行われる。画像関連音声データの転送終了が検出されれば、本ルーチンを終了する。
【００４６】
本実施形態の撮影機能付き音声記録装置によれば、画像データを含むデータの外部機器への転送終了後、所定の設定時間が経過するまでの間にＲＥＣスイッチ１２ａをオン操作して、上記画像データとの関連音声データを記録すれば、その画像関連音声データが上記画像データと関連つけられた状態で自動的に転送される。また、上記所定の設定時間経過した後は、関連音声データの記録と転送は、できない。但し、上記設定時間は適宜変更可能とする。
【００４７】
なお、本実施形態の撮影機能付き音声記録装置では、画像データを含むデータの転送後の所定の設定時間内に画像関連音声データの記録が可能であるが、上記データ転送後の所定の設定時間に限らず、画像データ転送開始後のステップＳ３４，３５の処理中にもＲＥＣスイッチ１２ａをオン操作して画像関連音声データの記録が可能なように制御することもできる。この場合も画像データを含むデータの転送後に上記記録された画像関連音声データは自動的に外部機器に転送される。
【００４８】
次に、本発明の第３の実施形態の撮影機能付き音声記録装置について、図５のフローチャートを用いて説明する。
本実施形態の撮影機能付き音声記録装置は、前記図１に示した第１の実施形態の音声記録装置の構成と略同様の構成を有しているが、第１，２の実施形態の装置に対してサブルーチンのデータ転送処理の一部が異なるものである。従って、同様の構成要素に対しては、第１の実施形態における符号と同一の符号を付して、第２の実施形態におけるデータ転送処理と異なる部分の処理について説明する。
【００４９】
本実施形態の音声記録装置のデータ転送処理は、第２の実施形態の場合と同様にＣＰＵ１の制御のもとで実行されるが、ステップＳ５１〜Ｓ５５の処理は、図４に示す第２の実施形態におけるステップＳ３１〜Ｓ３５と同様である。
【００５０】
ステップＳ５５でデータ転送終了が検出された後、ステップＳ５６に進み、画像関連の音声記録を行うかどうかの指示の有無を判別する。この指示は、例えば、ＲＥＣスイッチ１２ａをオン操作する等による指示である。画像関連音声記録の指示がなかった場合、そのまま、本ルーチンを終了する。画像関連音声記録の指示があった場合にはステップＳ５７に進む。
【００５１】
なお、上記ステップＳ５６の判別処理では、さらに、転送済みデータが画像データであったかどうかも合わせて判別され、画像データではなかった場合には、そのまま本ルーチンを終了する。
【００５２】
ステップＳ５７で音声（画像関連音声）記録が開始される。そして、ステップＳ５８，５９で操作スイッチ群１２、および、ＲＥＣスイッチ１２ａのオン操作が検出されるまで上記音声記録が続行される。上記操作スイッチのオン操作が検出された場合、ステップＳ６０に進む。なお、図５に記載されている音声データは、上記画像関連音声データを示している。
【００５３】
ステップＳ６０で画像関連音声データの記録が停止され、ステップＳ６１で上記記録された画像関連音声データの外部機器へ転送が開始される。そのとき、ＣＰＵ１で生成される上記画像データと画像関連音声データとの関連付けデータもともに転送される。
【００５４】
ステップＳ６１，６２で上記画像関連音声データの転送終了が検出されると、本ルーチンを終了し、本装置の制御がメインルーチンに戻る。
【００５５】
本実施形態の撮影機能付き音声記録装置によれば、画像データを含むデータの外部機器への転送終了後、画像関連音声記録を必要とする場合のみ、画像関連音声データを記録すれば、上記画像データと関連つけられた状態で自動的に外部機器に転送される。
【００５６】
なお、本実施形態の撮影機能付き音声記録装置では、画像データを含むデータの転送後、画像関連音声データの記録が可能であるが、これに限らず、画像データ転送開始後のステップＳ５４，５５の処理中にもＲＥＣスイッチ１２ａを操作して画像関連音声データの記録が開始可能なように制御することもできる。この場合も画像データを含むデータの転送後に上記記録された画像関連音声データは自動的に外部機器に転送される。
【００５７】
また、前記各実施形態の音声記録装置で転送される画像データとしては、静止画像データを取り扱うようにしたが、これに限らず、動画画像データを転送する場合においても上記各実施形態における画像関連音声データの記録，転送の制御を適用し、同様の効果を奏することができる。
【００５８】
【発明の効果】
上述のように本発明によれば、画像データと音声データなどの２つのデータの関連付けを容易に行うことができる。
【図面の簡単な説明】
【図１】本発明の第１の実施形態に係る撮影機能付き音声記録装置の構成を示すブロック図である。
【図２】上記図１の音声記録装置におけるデータ転送処理のフローチャートの一部である。
【図３】上記図１の音声記録装置におけるデータ転送処理のフローチャートの他の一部である。
【図４】本発明の第２の実施形態に係る撮影機能付き音声記録装置におけるデータ転送処理のフローチャートである。
【図５】本発明の第３の実施形態に係る撮影機能付き音声記録装置におけるデータ転送処理のフローチャートである。
【符号の説明】
１  …ＣＰＵ
（制御手段，転送手段，
関連付け情報生成手段，判定手段）
１ａ  …メモリ部（記録手段）
１ｂ…通信ポート（通信手段）
１２ａ…ＲＥＣスイッチ（選択手段）
１３  …ＬＣＤ（表示手段）
１５  …記録媒体（記憶部）
【図１】
2005012369.tif 000003
【図２】
2005012369.tif 000004
【図３】
2005012369.tif 000005
【図４】
2005012369.tif 000006
【図５】
2005012369.tif 000007